(57)【要約】      （修正有）【課題】一部の仮囲いを簡易に取外し可能にし、整然とした復旧を簡易に図るとともに、仮囲いの支持高さを簡易に調整可能にし、更に構成部材の全てを複数の工事現場で繰り返し使用することができる仮囲い支持構造を提供する。【解決手段】地盤に着脱可能に打込まれるベース杭１０と、ベース杭の上端側に取着され、仮囲いを支持する支持棒２０とを有してなる仮囲い支持構造であって、支持棒２０の軸方向に沿う仮囲いの支持高さ位置を設定するための仮囲い受具３０を支持棒に設けたおねじ部２５に螺着し、仮囲い受具の支持棒への取付高さ位置を支持棒の軸方向で調整可能にする。【選択図】図３
0003186488.tif 000002
【実用新案登録請求の範囲】
【請求項１】
地盤に着脱可能に打込まれるベース杭と、ベース杭の上端側に取着され、仮囲いを支持する支持棒とを有してなる仮囲い支持構造であって、
支持棒の軸方向に沿う仮囲いの支持高さ位置を設定するための仮囲い受具を支持棒に取付け、該仮囲い受具の支持棒への取付高さ位置を該支持棒の軸方向で調整可能にしてなる仮囲い支持構造。
【請求項２】
前記仮囲いが支持棒に挿着される支柱を用い、該仮囲いの支柱の下端部が支持棒に取付けられている仮囲い受具に当て止めされる請求項１に記載の仮囲い支持構造。
【請求項３】
前記仮囲い受具が支持棒に設けた受具用おねじ部に螺着され、該支持棒の軸方向に螺動可能にされてなる請求項１又は２に記載の仮囲い支持構造。
【請求項４】
前記ベース杭の上端部から周囲に張り出て地盤面に当接するベース板が該ベース杭に設けられてなる請求項１〜３のいずれかに記載の仮囲い支持構造。
【請求項５】
前記支持棒の下端側おねじ部がベース杭の上端側めねじ部に螺着されて取着可能にされるとともに、ベース杭の上端側めねじ部の上向き開口部を閉じる蓋が該ベース杭の上端部にヒンジ結合されてなる請求項１〜４のいずれかに記載の仮囲い支持構造。
【請求項６】
前記支持棒における下端側おねじ部の直上部に、ベース板の上面に突き当たるストッパを設けてなる請求項５に記載の仮囲い支持構造。
【考案の詳細な説明】
【技術分野】
【０００１】
本考案は建築工事現場等で用いられる仮囲い支持構造に関する。
【背景技術】
【０００２】
従来、仮囲い支持構造として、特許文献１に記載の如く、打込み杭にガードフェンス（仮囲い）を立てるためのガードフェンス脚を差し込むパイプ部を２本取付け、その位置は差し込みパイプ部が打込み時に潰れないように打込み部をパイプ部の上端より上にしたものでその打込み部をハンマー等でたたいて土中やアスファルト面に打込み、ガードフェンスの脚をパイプ部に差し込むことによりガードフェンスを立てるものがある。
【０００３】
従来の仮囲い支持構造において、一部のガードフェンスを取外して資材搬出入口を形成する等に際しては、地盤に所定の深さまで打込んだ打込み杭をその都度、該地盤から抜き取ることとしている。
【先行技術文献】
【特許文献】
【０００４】
【特許文献１】実登3002862
【考案の概要】
【考案が解決しようとする課題】
【０００５】
しかしながら、従来の仮囲い支持構造において、強風等による仮囲いの倒壊を未然に防止するために、打込み杭は大きな引抜き抗力を得るように地盤に対して強固に打込まれている。
【０００６】
このように所定の深さまで強固に打込まれた打込み杭を地盤からきれいに抜き取ることはできず、これによって地盤面に生じた乱れが一旦取外した一部の仮囲いの復旧を困難にする。即ち、打込み杭の再度の打ち直しは、地盤面の乱れた抜き取り跡になされるものになり、打込み杭の健全な打込み姿勢、打込み強度を再現できない。従って、この打込み杭に仮囲いを支持してその水平度、垂直度、立設強度等の復旧を図ることができず、仮囲いの歪み等を生じて工事現場の保全、安全性の確保に支障を生ずるおそれがある。
【０００７】
また、従来の仮囲い支持構造では、ガードフェンスを立てるためのガードフェンス差し込みパイプ部を打込み杭の側部に固定している。このため、打込み杭の軸方向に沿うガードフェンスの支持高さ位置が固定化される。相隣接する複数のガードフェンスを地盤上の所定のラインに沿って立てるときに、地盤の当該ラインに沿う高さレベルに高低の変化があると、所定の深さまで打込まれた各打込み杭のガードフェンス差し込みパイプ部が地盤の高さレベルの変化に倣うようにそれらの高さ位置を変化させ、ひいては相隣るガードフェンスの高さが一定の水平レベルに揃わないものになる。
【０００８】
また、従来の仮囲い支持構造では、打込み杭を単に地盤に打込んで立てるものであり、打込み杭の地盤面に対する垂直度の確保に困難があり、ひいてはこの打込み杭に取付けられるガードフェンスの水平度、垂直度の確保に困難がある。
【０００９】
尚、仮囲い支持構造はある工事現場での使用後に、その構成部材の全てが回収され、次の工事現場で繰り返し使用されることが望まれる。
【００１０】
本考案の課題は、仮囲い支持構造において、一部の仮囲いを簡易に取外し可能にするとともに、その整然とした復旧を簡易に図るとともに、仮囲いの支持高さ位置を簡易に調整可能にし、更にその構成部材の全てを複数の工事現場で繰り返し使用することにある。
【００１１】
本考案の他の課題は、仮囲いの水平度、垂直度、立設強度を簡易に確保することにある。
【００１２】
本考案の他の課題は、一部の仮囲いを取外した地盤面に突出物を残さず、関係者のつまずき、転倒等を回避することにある。
【００１３】
本考案の他の課題は、仮囲い支持構造の地盤からの撤去作業を容易にすることにある。
【課題を解決するための手段】
【００１４】
請求項１に係る考案は、地盤に着脱可能に打込まれるベース杭と、ベース杭の上端側に取着され、仮囲いを支持する支持棒とを有してなる仮囲い支持構造であって、支持棒の軸方向に沿う仮囲いの支持高さ位置を設定するための仮囲い受具を支持棒に取付け、該仮囲い受具の支持棒への取付高さ位置を該支持棒の軸方向で調整可能にしてなるようにしたものである。
【００１５】
請求項２に係る考案は、請求項１に係る考案において更に、前記仮囲いが支持棒に挿着される支柱を用い、該仮囲いの支柱の下端部が支持棒に取付けられている仮囲い受具に当て止めされるようにしたものである。
【００１６】
請求項３に係る考案は、請求項１又は２に係る考案において更に、前記仮囲い受具が支持棒に設けた受具用おねじ部に螺着され、該支持棒の軸方向に螺動可能にされてなるようにしたものである。
【００１７】
請求項４に係る考案は、請求項１〜３のいずれかに係る考案において更に、前記ベース杭の上端部から周囲に張り出て地盤面に当接するベース板が該ベース杭に設けられてなるようにしたものである。
【００１８】
請求項５に係る考案は、請求項１〜４のいずれかに係る考案において更に、前記支持棒の下端側おねじ部がベース杭の上端側めねじ部に螺着されて取着可能にされるとともに、ベース杭の上端側めねじ部の上向き開口部を閉じる蓋が該ベース杭の上端部にヒンジ結合されてなるようにしたものである。
【００１９】
請求項６に係る考案は、請求項５に係る考案において更に、前記支持棒における下端側おねじ部の直上部に、ベース板の上面に突き当たるストッパを設けてなるようにしたものである。
【考案の効果】
【００２０】
（請求項１）
(a)地盤に打込んだベース杭に支持棒を取着し、この支持棒に仮囲いを支持することにて仮囲いを形成できる。一部の仮囲いを取外して資材搬出入口を形成する等に際しては、支持棒を地盤面に残されるベース杭から簡易に取外すことができる。そして、一旦取外した一部の仮囲いの復旧時には、乱れ跡のない地盤面に残されているベース杭に支持棒を再び確実に取着でき、これによって健全に再現された支持棒に再び仮囲いを支持することができ、仮囲いの整然とした復旧（水平度、垂直度、強度等）を図ることができる。
【００２１】
(b)仮囲い受具の支持棒への取付高さ位置を該支持棒の軸方向で調整できる。従って、支持棒に支持される仮囲いの支持高さ位置を簡易に調整できる。
【００２２】
これにより、相隣接する複数の仮囲いを地盤上の所定のラインに沿って立てるときに、地盤の当該ラインに沿う高さレベルに高低の変化があれば、各支持棒に取付けられる仮囲い受具の取付高さ位置が互いに一定の水平レベルに並ぶように調整できる。これにより、各支持棒に支持される仮囲いの支持高さ位置はそれらの仮囲い受具によって一定の水平レベルに設定され、相隣る仮囲いの高さを一定の水平レベルに揃えることができる。
【００２３】
(c)仮囲いがある工事現場での使用を終わった撤去時には、地盤に着脱可能なベース杭を地盤から簡易に取外しできる。従って、仮囲いを支持するための、ベース杭を含む全ての構成部材を回収し、次の工事現場における繰り返し使用に供することができる。
【００２４】
（請求項２）
(d)前記仮囲いが支持棒に挿着される支柱を用い、該仮囲いの支柱の下端部が支持棒に取付けられている仮囲い受具に当て止めされる。仮囲いの支柱を支持棒に挿着し、この支柱の下端部を仮囲い受具に当て止めすることにより、仮囲いの支持高さ位置を簡易に調整できる。
【００２５】
（請求項３）
(e)前記仮囲い受具が支持棒に設けた受具用おねじ部に螺着され、該支持棒の軸方向に螺動可能にされる。仮囲い受具の支持棒への取付高さ位置を該支持棒の軸方向で簡易に調整できる。
【００２６】
（請求項４）
(f)前記ベース杭の上端部から周囲に張り出て地盤面に当接するベース板が該ベース杭に設けられる。ベース杭を地盤に打込んだとき、ベース杭の上端部のベース板を地盤面に当接させることにより、ベース杭の地盤面に対する打込み深さ、垂直度を容易に確保できる。ひいては、このベース杭に取着される支持棒の垂直度、更には支持棒に支持される仮囲いの水平度、垂直度を簡易に確保できる。
【００２７】
(g)一部の仮囲いを取外して資材搬出入口等を形成する等に際し、支持棒をベース杭から取外したときには、ベース杭の上端部のベース板だけが地盤面に当接して残るものになる。一部の仮囲いを取外した地盤面に突出物を残さず、関係者のつまずき、転倒等を回避できる。
【００２８】
（請求項５）
(h)前記支持棒の下端側おねじ部がベース杭の上端側めねじ部に螺着されて取着可能にされる。支持棒がベース杭に螺着されて一体化されるから、支持棒に加える横力によってベース杭を地盤に対して確実にこじり、ベース杭の取外し作業性を向上できる。従って、仮囲い支持構造の地盤からの撤去作業性を向上できる。
【００２９】
(i)ベース杭の上端側めねじ部の上向き開口部を閉じる蓋が該ベース杭の上端部にヒンジ結合される。一部の仮囲いを取外して資材搬出入口を形成する等に際し、支持棒が取外されたベース杭の上向き開口部を蓋で閉じることにより、地盤面の土砂が該上向き開口部に侵入することを防止できる。
【００３０】
（請求項６）
(j)前記支持棒における下端側おねじ部の直上部に、ベース板の上面に突き当たるストッパを設けた。支持棒をベース杭に強固に一体化できる。
【図面の簡単な説明】
【００３１】
【図１】図１はベース杭を示す模式図である。
【図２】図２は支持棒を示す模式図である。
【図３】図３はベース杭と支持棒と仮囲い用支柱の組立状態を示す模式図である。
【図４】図４は仮囲いの施工手順を示す模式図である。
【図５】図５は仮囲いの施工例を示す模式図である。
【考案を実施するための形態】
【００３２】
図１〜図５に示した本考案に係る仮囲い支持構造は、ベース杭１０と支持棒２０（仮囲い受具３０を備える）と支柱４０を構成部材として用い、工事現場に設けられるガードフェンス等の仮囲い１（図４、図５）を支持する。
【００３３】
ベース杭１０は、図１に示す如く、鉄又はアルミ等からなり、地盤Ｇに着脱可能に打込まれる。ベース杭１０は、地盤に打込まれる先端尖り部１１を閉塞された有底筒状（無底筒状でも可）の中空体からなり、支持棒２０の下端側おねじ部２３が螺着されて取着される上端側めねじ部１２を上端側に開口して備える。
【００３４】
ベース杭１０の上端部には、矩形の薄肉平板からなるベース板１３が、溶接されて固定されている。ベース板１３は、ベース杭１０の上端部における上端側めねじ部１２の上向き開口部の周辺から周囲に張り出され、ベース杭１０が地盤に打込まれたときに地盤面に当接する。ベース板１３は地盤面にその板厚分だけ埋め込まれ、その上面を地盤面と完全に面一にすることもできる。ベース板１３は、４隅にアンカー係入孔１３Ａを備える。
【００３５】
ベース杭１０は、上端側めねじ部１２の上向き開口部を閉じる蓋１４をその上端部に設けた蝶番１４Ａによりヒンジ結合されて備える。本実施例において、蓋１４はベース板１３の上面に取付けられた蝶番１４Ａにヒンジ結合され、ベース板１３の上面に接離可能にされる。蓋１４は、支持棒２０が取着されないベース杭１０における上端側めねじ部１２の上向き開口部に封着され、地盤に打込まれたベース杭１０の上向き開口部への土砂の侵入を防止する。
【００３６】
支持棒２０は、図２に示す如く、鉄又はアルミ等からなり、ベース杭１０の上端側に取着される。支持棒２０は、大径パイプ材からなる有天筒状の本体部２１の下端側にねじ棒材２２を嵌合固定されてなり、ねじ棒材２２の下端部に下端側おねじ部２３を備える。支持棒２０の下端側おねじ部２３がベース杭１０の上端側めねじ部１２に螺着されて着脱可能にされる。支持棒２０のねじ棒材２２における下端側おねじ部２３の直上部には、ベース杭１０の上端面（本実施例ではベース杭１０の上端部に固定してあるベース板１３の上面に突き当たるカラー状ストッパ２４が設けられている。
【００３７】
支持棒２０は、図３に示す如く、ベース杭１０の上端側に支持棒２０を取着した状態で、仮囲い１を直接又は間接に（本実施例では支柱４０を介して）支持する。
【００３８】
このとき、支持棒２０は仮囲い受具３０を備える。仮囲い受具３０は、支持棒２０の軸方向に沿う仮囲い１の支持高さ位置を設定し得るように支持棒２０に取付けられる。仮囲い受具３０は、支持棒２０への取付高さ位置を該支持棒２０の軸方向で調整可能にされる。仮囲い１は両側縁のそれぞれに対応するパイプ状支柱４０を用い、この支柱４０を支持棒２０に挿着し、該支柱４０の下端部が支持棒２０に取付けられている仮囲い受具３０に当て止めされることにより、所定の支持高さ位置に設定される。
【００３９】
本実施例では、支持棒２０のねじ棒材２２におけるストッパ２４の上部に受具用おねじ部２５を備える。仮囲い受具３０は支持棒２０の受具用おねじ部２５にボス３１を螺着され、ボス３１に螺動操作ハンドル３２を備える。仮囲い受具３０は、支持棒２０の軸方向に螺動されて適宜の取付高さ位置に調整可能にされる。
【００４０】
尚、支持棒２０は、下端側おねじ部２３をベース杭１０の上端側めねじ部１２に螺着した状態で、ストッパ２４の下端面をベース杭１０の上端部に固定してあるベース板１３の上面に突き当て、本体部２１の上端面をハンマーで打撃することにより、ベース杭１０の先端尖り部１１を地盤に打込みできる。
【００４１】
支柱４０は、図３に示す如く、鉄又はアルミ等のパイプ材からなり、支持棒２０に着脱可能に挿着され、仮囲い１が取付けられる仮囲い用取付部４１を備える。仮囲い用取付部４１は、支柱４０の外周の長さ方向複数位置に設けられる小径パイプ材からなり、仮囲い１の外縁に設けてある取付フック２が係脱可能に取付けられる（図４）。但し、仮囲い１の外縁のフック２を小径パイプ材に変更し、支柱４０の仮囲い用取付部４１として設ける小径パイプ材をフックに変更しても良い。
【００４２】
以下、仮囲い１の施工手順について説明する（図４、図５）。
【００４３】
(1)ベース杭１０を地盤に着脱可能に打込む（図４（Ａ））。
本実施例では、支持棒２０の下端側おねじ部２３をベース杭１０の上端側めねじ部１２に螺着し、支持棒２０の本体部２１の上端面をハンマーで打撃することにより、ベース杭１０のベース板１３が地盤面に当接する所定の深さまで、ベース杭１０の先端尖り部１１を地盤に打込む。ベース板１３のアンカー係入孔１３Ａに係入されるアンカーを地盤に打込み、ベース板１３の地盤への固定を図ることもできる。
【００４４】
(2)相隣接する複数の仮囲い１の設置ラインに沿う複数位置のそれぞれにおいて上述(1)を行なった後、上記仮囲い１の設置ラインに沿う地盤の高さレベルの高低の変化に関係なく、各支持棒２０に設けられている仮囲い受具３０の取付高さ位置が互いに一定の水平レベルに並ぶように調整する（図５）。
【００４５】
(3)上述(2)の各支持棒２０の本体部２１に支柱４０を着脱可能に挿着する（図４（Ｂ））。
【００４６】
(4)各仮囲い１の１つの側縁に設けられている取付フック２が対応する各支柱４０の仮囲い用取付部４１に係脱可能に取付けられる（図４（Ｃ））。
【００４７】
(5)一部の仮囲い１を取外して資材搬出入口を形成する等に際しては、仮囲い１を支柱４０から取外し、支柱４０を支持棒２０から抜き取り、支持棒２０の下端側おねじ部２３をベース杭１０の上端側めねじ部１２から取外す。地盤にはベース杭１０が残り、このベース杭１０における上端側めねじ部１２の上向き開口部に蓋１４が封着される（図４（Ｄ））。これにより、一部の仮囲い１を取外した資材搬出入口が形成される。
【００４８】
(6)工事現場の工事完了により仮囲い１を完全に撤去するに際しては、ベース杭１０に取着した支持棒２０に横力を加え、該ベース杭１０を地盤に対してこじることにより、ベース杭１０を地盤から取外す。
【００４９】
本実施例よれば以下の作用効果を奏する。
(a)地盤に打込んだベース杭１０に支持棒２０を取着し、この支持棒２０に仮囲い１を支持することにて仮囲い１を形成できる。一部の仮囲い１を取外して資材搬出入口を形成する等に際しては、支持棒２０を地盤面に残されるベース杭１０から簡易に取外すことができる。そして、一旦取外した一部の仮囲い１の復旧時には、乱れ跡のない地盤面に残されているベース杭１０に支持棒２０を再び確実に取着でき、これによって健全に再現された支持棒２０に再び仮囲い１を支持することができ、仮囲い１の整然とした復旧（水平度、垂直度、強度等）を図ることができる。
【００５０】
(b)仮囲い受具３０の支持棒２０への取付高さ位置を該支持棒２０の軸方向で調整できる。従って、支持棒２０に支持される仮囲い１の支持高さ位置を簡易に調整できる。
【００５１】
これにより、相隣接する複数の仮囲い１を地盤上の所定のラインに沿って立てるときに、地盤の当該ラインに沿う高さレベルに高低の変化があれば、各支持棒２０に取付けられる仮囲い受具３０の取付高さ位置が互いに一定の水平レベルに並ぶように調整できる。これにより、各支持棒２０に支持される仮囲い１の支持高さ位置はそれらの仮囲い受具３０によって一定の水平レベルに設定され、相隣る仮囲い１の高さを一定の水平レベルに揃えることができる。
【００５２】
(c)仮囲い１がある工事現場での使用を終わった撤去時には、地盤に着脱可能なベース杭１０を地盤から簡易に取外しできる。従って、仮囲い１を支持するための、ベース杭１０を含む全ての構成部材を回収し、次の工事現場における繰り返し使用に供することができる。
【００５３】
(d)前記仮囲い１が支持棒２０に挿着される支柱４０を用い、該仮囲い１の支柱４０の下端部が支持棒２０に取付けられている仮囲い受具３０に当て止めされる。仮囲い１の支柱４０を支持棒２０に挿着し、この支柱４０の下端部を仮囲い受具３０に当て止めすることにより、仮囲い１の支持高さ位置を簡易に調整できる。
【００５４】
(e)前記仮囲い受具３０が支持棒２０に設けた受具用おねじ部２５に螺着され、該支持棒２０の軸方向に螺動可能にされる。仮囲い受具３０の支持棒２０への取付高さ位置を該支持棒２０の軸方向で簡易に調整できる。
【００５５】
(f)前記ベース杭１０の上端部から周囲に張り出て地盤面に当接するベース板１３が該ベース杭１０に設けられる。ベース杭１０を地盤に打込んだとき、ベース杭１０の上端部のベース板１３を地盤面に当接させることにより、ベース杭１０の地盤面に対する打込み深さ、垂直度を容易に確保できる。ひいては、このベース杭１０に取着される支持棒２０の垂直度、更には支持棒２０に支持される仮囲い１の水平度、垂直度を簡易に確保できる。
【００５６】
(g)一部の仮囲い１を取外して資材搬出入口等を形成する等に際し、支持棒２０をベース杭１０から取外したときには、ベース杭１０の上端部のベース板１３だけが地盤面に当接して残るものになる。一部の仮囲い１を取外した地盤面に突出物を残さず、関係者のつまずき、転倒等を回避できる。
【００５７】
(h)前記支持棒２０の下端側おねじ部２３がベース杭１０の上端側めねじ部１２に螺着されて取着可能にされる。支持棒２０がベース杭１０に螺着されて一体化されるから、支持棒２０に加える横力によってベース杭１０を地盤に対して確実にこじり、ベース杭１０の取外し作業性を向上できる。従って、仮囲い支持構造の地盤からの撤去作業性を向上できる。
【００５８】
(i)ベース杭１０の上端側めねじ部１２の上向き開口部を閉じる蓋１４が該ベース杭１０の上端部にヒンジ結合される。一部の仮囲い１を取外して資材搬出入口を形成する等に際し、支持棒２０が取外されたベース杭１０の上向き開口部を蓋１４で閉じることにより、地盤面の土砂が該上向き開口部に侵入することを防止できる。
【００５９】
(j)前記支持棒２０における下端側おねじ部２３の直上部に、ベース板１３の上面に突き当たるストッパ２４を設けた。支持棒２０をベース杭１０に強固に一体化できる。
【００６０】
以上、本考案の実施例を図面により詳述したが、本考案の具体的な構成はこの実施例に限られるものではなく、本考案の要旨を逸脱しない範囲の設計の変更等があっても本考案に含まれる。例えば、本考案のベース杭１０、支持棒２０（仮囲い受具３０を備える）及び支柱４０等は、ガードフェンスの支持構造に限らず、門扉の両端支柱又は中柱の支持構造、門扉の風力による膨らみ防止用添え柱の支持構造にも適用できる。
【００６１】
ベース杭１０、支持棒２０及び支柱４０は工事現場において、少なくとも資材搬出入口を形成することが予定されている部分に設け、他の部分には本考案によらない他の支持杭等の仮囲い支持手段を設置できる。
【００６２】
工事現場の全ての仮囲い１をベース杭１０、支持棒２０及び支柱４０からなる本考案の仮囲い支持手段により支持しても良い。このとき、台風等の強風による全ての仮囲い１の倒壊を完全に防ぐため、各仮囲い１に対応するベース杭１０を地盤に残しながら、各仮囲い１を対応する支柱４０から取外し、該支柱４０を支持棒２０から取り去り、該支持棒２０をベース杭１０から取外すことができる。これにより、全ての仮囲い１を簡易に一時的に取外しでき、その後簡易に復旧できる。
【００６３】
ベース杭１０は、ハンマーで直に打撃して打込まれても良い。また、仮囲い１が支持棒２０に直に取付けられても良く、その場合には支柱４０が不要になる。
【００６４】
ベース杭１０の支持棒取着部はねじ部に限定されない。また、ベース杭１０に着脱可能に取着された支持棒２０の取付状態を一時的に固定する手段を備えても良い。また、支持棒２０に着脱可能に挿着された支柱４０の挿着状態を一時的に固定する手段を備えても良い。
【産業上の利用可能性】
【００６５】
本考案は、地盤に着脱可能に打込まれるベース杭と、ベース杭の上端側に取着され、仮囲いを支持する支持棒とを有してなる仮囲い支持構造であって、支持棒の軸方向に沿う仮囲いの支持高さ位置を設定するための仮囲い受具を支持棒に取付け、該仮囲い受具の支持棒への取付高さ位置を該支持棒の軸方向で調整可能にされる。これにより、仮囲い支持構造において、一部の仮囲いを簡易に取外し可能にするとともに、その整然とした復旧を簡易に図るとともに、仮囲いの支持高さ位置を簡易に調整可能にし、更にその構成部材の全てを複数の工事現場で繰り返し使用することができる。
【符号の説明】
【００６６】
１  仮囲い
１０  ベース杭
１２  上端側めねじ部
１３  ベース板
１４  蓋
２０  支持棒
２３  下端側おねじ部
２４  ストッパ
２５  受具用おねじ部
３０  仮囲い受具
４０  支柱
【図１】
0003186488.tif 000003
【図２】
0003186488.tif 000004
【図３】
0003186488.tif 000005
【図４】
0003186488.tif 000006
【図５】
0003186488.tif 000007